(57)【要約】【課題】マイナスイオンと加湿空気の混合性能を向上させて加湿空気中のプラスイオンの中和効率を高めるとともに、マイナスイオンに効果的に水分子を結合させて、その存続時間および送達距離を延長する。【解決手段】加湿通路とマイナスイオン通路とを相互に独立して形成する一方、それらを本体ケーシング内部で合流させて混合した後、同合流部よりも下流の単一の空気吹出口から吹き出させることにより、マイナスイオンと加湿空気の混合効果を大きく改善し、加湿空気中のプラスイオンの中和効率を高めるとともに、効果的に水分子を結合させて、その存続時間および送達距離を有効に延長した。【選択図】　　　　図１
2004138354.tif 000002
【特許請求の範囲】
【請求項１】
空気を加湿する加湿手段と、該加湿手段によって加湿された空気を吹き出す加湿通路と、マイナスイオンを発生するマイナスイオン発生手段と、該マイナスイオン発生手段で発生したマイナスイオンを吹き出すマイナスイオン通路とを備えてなる加湿器において、上記加湿通路とマイナスイオン通路とを、それぞれ相互に独立して形成する一方、それらを当該加湿器の本体ケーシング内部に形成した合流通路で合流させて混合した後、同合流通路下流の合流空気吹出口から吹き出させるようにしたことを特徴とする加湿器。
【請求項２】
加湿通路とマイナスイオン通路とは、相互に並設されており、それらの各々に空気吹出用の遠心ファンが設けられていることを特徴とする請求項１記載の加湿器。
【請求項３】
各遠心ファンは、それぞれ同一のファンモータの回転駆動軸上に支持固定されていることを特徴とする請求項２記載の加湿器。
【請求項４】
加湿通路とマイナスイオン通路とは、相互に仕切板を介して並設されており、該仕切板に形成されたファン貫装孔を介して両通路に共通な１つの遠心ファンが設けられていることを特徴とする請求項１記載の加湿器。
【請求項５】
両通路に共通な１つの遠心ファンは、仕切板に対応して該仕切板と同一面上にハブを有し、該ハブを介してファンモータの回転駆動軸上に支持固定されていることを特徴とする請求項４記載の加湿器。
【請求項６】
ハブの外径はファン貫装孔の径よりも大径で、同ハブの外周縁は、所定幅段違い面に変形されて、上記ファン貫装孔の孔縁部に対してエアシール可能な非接触状態で重なるように設置されていることを特徴とする請求項４記載の加湿器。
【発明の詳細な説明】
【０００１】
【発明の属する技術分野】
本願発明は、マイナスイオン発生機能を備えた加湿器の構造に関するものである。
【０００２】
【従来の技術】
最近では、加湿器にマイナスイオン発生装置を組み合わせ、加湿と同時にマイナスイオンの付加を可能としたものが提供されるようになっている。
【０００３】
このようなマイナスイオン発生機能を備えた加湿器の場合、一般に送風通路途中に設けられるマイナスイオン発生器の加湿を避ける見地から、加湿された空気を吹き出す加湿通路と、マイナスイオンを付加した空気を吹き出すマイナスイオン通路とを相互に分離独立した状態で並設された２つの通路構造とする一方、それら各々の本体から外部への吹出口を可及的に近接させて設けることにより、本体外部で加湿空気とマイナスイオン付加空気とを混合させ、加湿空気中のプラスイオンを中和消失させるように構成されていた（特許文献１参照）。
【０００４】
【特許文献１】
特開２００２−９８３７１号公報（第３頁、図１および図２）
【０００５】
【発明が解決しようとする課題】
しかし、このような構成の場合、一旦加湿器本体の２つの吹出口から吹き出された後に、加湿器本体外部の空間部で両者が混合されるものであるから、加湿空気とマイナスイオンとの効果的かつ均一な混合が難しい。もちろん、加湿空気の吹き出し方向をマイナスイオン吹き出し方向に傾け、加湿空気がマイナスイオンを覆うような合流状態を形成し、混合効果を向上させることも考えられているが、両者の必然的な流量差、速度差もあり、その効果は余り期待できない。
【０００６】
一般に、マイナスイオン発生装置で発生したマイナスイオンは、それ自体として乾燥空気中では余り長く存在せず、また室内の多数のプラスイオンとの中和によって短時間で消滅してしまう傾向がある。したがって、部屋全体に行きわたらせることが難しい。
【０００７】
しかし、同マイナスイオンは霧化状態の水分子と結合すると、いわゆるクラスターイオンとなって、その存続時間が長くなる。また質量が大きくなり、送風時の慣性エネルギーも大きくなるので、室内空間の遠くまで届くことになる。したがって、加湿空気とマイナスイオンの混合効果が高いことは、重要である。ところが、上記のように、加湿空気とマイナスイオンの混合効果が低い場合には、そのような有効な作用を期待することができない。
【０００８】
本願発明は、このような問題を解決するためになされたもので、加湿通路とマイナスイオン通路とを相互に独立して形成する一方、それらの合流部を加湿器本体の内部に設けることにより、上記従来の問題を解決したマイナスイオン発生機能付の加湿器を提供することを目的とするものである。
【０００９】
【課題を解決するための手段】
本願発明は、同目的を達成するために、次のような課題解決手段を備えて構成されている。
【００１０】
（１）　第１の課題解決手段（請求項１の発明）
この発明の第１の課題解決手段は、空気を加湿する加湿手段と、該加湿手段によって加湿された空気を吹き出す加湿通路と、マイナスイオンを発生するマイナスイオン発生手段と、該マイナスイオン発生手段で発生したマイナスイオンを吹き出すマイナスイオン通路とを備えてなる加湿器において、上記加湿通路とマイナスイオン通路とを、それぞれ相互に独立して形成する一方、それらを当該加湿器の本体ケーシング内部に形成した合流通路で合流させて混合した後、同合流通路下流の合流空気吹出口から吹き出させるようにしたことを特徴としている。
【００１１】
このような構成によると、マイナスイオンと加湿空気の混合効果が大きく改善され、加湿空気中のプラスイオンの中和効率が高まるとともに、マイナスイオンが効果的に水分子と結合して、その存続時間および送風時の到達距離が大きく延長される。
【００１２】
（２）　第２の課題解決手段（請求項２の発明）
この発明の第２の課題解決手段は、上記第１の課題解決手段の構成において、加湿通路とマイナスイオン通路とは、相互に並設されており、それらの各々に空気吹出用の遠心ファンが設けられていることを特徴としている。
【００１３】
このように、加湿通路とマイナスイオン通路とが、相互に並設されていて、それらの各々に空気吹出用の遠心ファンが設けられていると、マイナスイオン発生装置等マイナスイオン発生手段が、加湿空気によって加湿される恐れがなくなるとともに、加湿空気およびマイナスイオンそれぞれが、その必要とする吹出量に個別に対応した適切な吹出風量で、送風効率良く吹き出される。
【００１４】
（３）　第３の課題解決手段（請求項３の発明）
この発明の第３の課題解決手段は、上記第２の課題解決手段の構成において、各遠心ファンは、それぞれ同一のファンモータの回転駆動軸上に支持固定されていることを特徴としている。
【００１５】
このように、上記加湿通路およびマイナスイオン通路各々の各遠心ファンが、それぞれ同一のファンモータの回転駆動軸上に支持固定されていると、１台のファンモータで２つのファンを共通に回転駆動することができるので、加湿器自体を可及的にコンパクトに形成することができるとともに、消費電力も少なくて済む。
【００１６】
（４）　第４の課題解決手段（請求項４の発明）
この発明の第４の課題解決手段は、上記第１の課題解決手段の構成において、加湿通路とマイナスイオン通路とは、相互に仕切板を介して並設されており、該仕切板に形成されたファン貫装孔を介して両通路に共通な１つの遠心ファンが設けられていることを特徴としている。
【００１７】
このように加湿通路とマイナスイオン通路との２つの通路が、相互に仕切板を介して並設されていて、該仕切板に形成されたファン貫装孔を介して、それら両通路に共通な１つの遠心ファンが設けられている場合には、ファン自体が１台で足り、成形、組付も容易で、低コストになる。
【００１８】
（５）　第５の課題解決手段（請求項５の発明）
この発明の第５の課題解決手段は、上記第４の課題解決手段の構成において、両通路に共通な１つの遠心ファンは、仕切板に対応して該仕切板と同一面上にハブを有し、該ハブを介してファンモータの回転駆動軸上に支持固定されていることを特徴としている。
【００１９】
このように加湿通路とマイナスイオン通路との２つの通路の各々に共通な１つのファンが、具体的に上記各通路中間の仕切板に対応して該仕切板と同一面上にハブを有し、該ハブを介してファンモータの回転駆動軸上に支持固定されている場合には、上記の作用に加えて、同ハブを利用して容易に１つのファンをファンモータの回転駆動軸に固定することができる。
【００２０】
（６）　第６の課題解決手段（請求項６の発明）
この発明の第６の課題解決手段は、上記第４の課題解決手段の構成において、ハブの外径はファン貫装孔の径よりも大径で、同ハブの外周縁は、所定幅段違い面に変形されて、上記ファン貫装孔の孔縁部に対してエアシール可能な非接触状態で重なるように設置されていることを特徴としている。
【００２１】
このようにハブの外径がファン貫装孔の径よりも大径で、同ハブの外周縁が、所定幅段違い面に変形されて、上記ファン貫装孔の孔縁部に対してエアシール可能な非接触状態で重なるように設置されていると、同ハブ部分が実質的に上記ファン貫装孔部分をシールし、全体として仕切板が同一面状に連続している場合と同様になり、実質的に上記加湿通路とマイナスイオン通路とを、それぞれ相互に独立した状態に形成することができる。
【００２２】
【発明の効果】
以上の結果、本願発明によると、前述した従来の問題を有効かつ適切に解決することができ、マイナスイオン付加効果の高い加湿器を低コストに提供することができるようになる。
【００２３】
【発明の実施の形態】
（実施の形態１）
先ず図１は、本願発明の実施の形態１に係るマイナスイオン発生装置を備えた加湿器の構成を示している。
【００２４】
この加湿器は、その基本構成要素として、例えば加湿用の水を貯留した水タンク１と、該水タンク１からの水を給水機構（給水弁２ａ、給水弁開放部材２ｂ、水受溝２ｃ）２を介して導入し、所定の温度（例えば７０℃程度の気化効率の高い温度）にヒータ加熱する加熱パイプ３と、該加熱パイプ３で所定の温度に加熱された温水を導入して所定量貯留する温水貯留槽４と、該温水貯留槽４内の湯を効率良く気化させる、例えば繊維構造で吸水および通気性が高い気化フィルタ５と、該気化フィルタ５からの気化水分によって加湿された加湿空気を導入して室内上方に吹き出す加湿通路６と、該加湿通路６内に設けられた加湿空気吹き出し用の第１のファン７と、上記加湿通路６に並設され、マイナスイオン付加空気を室内上方に吹き出すマイナスイオン通路８と、該マイナスイオン通路８の上流側に設けられたマイナスイオン付加空気吹き出し用の第２のファン９と、上記マイナスイオン通路８の下流側に設けられた例えばマイカ式（沿面放電式）のマイナスイオン発生装置１０と、上記加湿通路６とマイナスイオン通路８とを相互に合流一体化し、上記加湿空気とマイナスイオン付加空気とを混合して室内上方に吹き出す合流通路１１と、該合流通路１１の下流側に形成された合流空気吹出口１２と、上記第１，第２のファン７，９を、その回転駆動軸１３ａ上に共通に（同軸状態に）支持して同一方向に回転駆動する１台のファンモータ１３とを備え、それらを図示の如く、前後方向に扁平で全体として略半円形状となった例えば合成樹脂製の本体ケーシング１４内にコンパクトに組み込んで構成されている。
【００２５】
上記本体ケーシング１４は、例えば上面側が開口した左右に長い受け皿状の底部材１４Ａと、該底部材１４Ａの上部開口面部に嵌合固定され、上記のような各種構造物を適切に支持固定しているベースプレート１４Ｂと、該ベースプレート１４Ｂの上部にあって、上記各種構造物を覆い、かつ、それらを適切に補強支持しているカバー部材１４Ｃとからなっている。該カバー部材１４Ｃと上記底部材１４Ａとは、相互に同一アール面状に連続し、本体ケーシング１４全体としての一体感を発揮し得るように組み合わされている。
【００２６】
上記水タンク１部分は、上記ベースプレート１４Ｂ上の水タンク設置部に対し、着脱可能にセットされるようになっているとともに、必要に応じ、その外周が、半透明の合成樹脂材により形成されている。この水タンク１部分も、上記カバー部材１４Ｃおよび底部材１４Ａと対応し、全体として同一アール面を形成するように組み合わされている。
【００２７】
また、上記本体ケーシング１４の図示しない前面側中央には、電源の（入／切）およびマイナスイオン発生の（入／切）兼用スイッチや加湿量の（強／弱）切換スイッチ、、給水表示ランプ等が設けられている。
【００２８】
一方、上記第１のファン７を備えた加湿通路６および第２のファン９を備えたマイナスイオン通路８は、具体的には、それぞれその軸方向外側の空気吸込口６ａ，８ａから空気を吸い込んで遠心方向に吹き出すスクロールケーシングを備えた２組のシロッコファン（多翼遠心送風機）を採用することにより構成されており、上記第１，第２のファン７，９が当該各シロッコファンの多翼羽根車部分、また加湿通路６，マイナスイオン通路８が当該各シロッコファンの各スクロールケーシング内のスクロール通路部分に、それぞれ該当するものとなっている。
【００２９】
そして、上記加湿通路６は、上記空気吸込口６ａを介して吸い込んだ上記気化フィルタ５側からの十分な量の加湿空気を室内上方へ送風するのに十分な通路径の大きな送風通路に、他方マイナスイオン通路８の方は、それよりも径の小さな付加すべきマイナスイオンを供給するに足りる大きさの送風通路に形成され、それぞれその通路径と送風量に応じた翼幅の第１，第２のファン７，９が設けられている。
【００３０】
ところで、上記加湿通路６およびマイナスイオン通路８は、上記２組のシロッコファンの各スクロールケーシングの左側板１５、相互に共通する内側板（中央部側の仕切板）１７、および右側板１６とから形成されているが、それらの各吹出端は何れも上記本体ケーシング１４の上部側カバー部材１４Ｃ内手前（内側）において、その下流側を大径の１本の合流通路１１に合流させており、該本体ケーシング１４のカバー部材１４Ｃの内側にある合流通路１１の合流域において、上記加湿通路６側からの加湿空気に対し、効果的にマイナスイオン通路８側からのマイナスイオン付加空気を混合させることによって、加湿空気中のプラスイオンを効果的に中和消失させるとともに、供給されるマイナスイオンに効率よく水分子を結合させて、その存続時間を長く延命させるとともに、送風による慣性効果を高めてマイナスイオンが室内空間の遠くまで十分に到達するように吹き出す。
【００３１】
そして、その場合、上記本体ケーシング１４のカバー部材１４Ｃの上面部には、上記合流通路１１に対応して合流空気吹出口１２が設けられている。そして、該合流空気吹出口１２のマイナスイオン通路８側部分には、当該マイナスイオン通路８側からの相対的に少ない量のマイナスイオン付加空気が、上記加湿通路６側からの相対的に量の多い加湿空気中に効果的に混入されるように、その空気流ガイド面を上記加湿通路６方向に斜めに傾斜させた空気流吹出方向制御用のガイドエッジ１２ａが設けられており、同ガイドエッジ１２ａの吹出方向制御作用によって上記加湿空気に対するマイナスイオンの混合効果が可及的に向上されるようにしている。
【００３２】
また、それらの場合において、上記マイナスイオン通路８の下流側に設けられているマイカ式（沿面放電式）のマイナスイオン発生装置１０は、湿気を嫌うために、例えば上記合流通路１１への合流開始端ａよりも所定寸法ｂだけ上流側に位置して、しかも上記加湿通路６側とを仕切る上記内側板１７の壁面に扁平な状態で取り付けられている。そして、上記寸法ｂは、例えば上記加湿通路６下流端側および合流通路１１側からの加湿空気の巻き込み等による侵入の影響を受けないように考慮した十分な距離のものとしている。また、内側板１７側に取り付けることによって、より加湿通路６側からの流量差に起因する加湿空気のカルマン渦の影響をも受けないようにしている。
【００３３】
一方、上記構成における上述の各種構造物は、例えば図示のように、上記ベースプレート１４Ｂを基準として、その正面右側上部に水タンク１、その下方に給水機構２、さらに同給水機構２からベースプレート１４Ｂの下方側左右方向に加熱パイプ３、また同正面中央の下方から上方に温水貯留槽４、気化フィルタ５、さらに同正面左側上部の中央から左外側方向に加湿通路６、マイナスイオン通路８、ファンモータ１３の各々がレイアウトされている。
【００３４】
そして、上記前後方向に扁平で、左右方向に長い、所定の深さの受皿構造の底部材１４Ａの右側壁部には、上記加熱パイプ３の軸方向に対応してグリル構造の空気取入口１８が設けられており、上記第１，第２のファン７，９が回転すると、その吸引力によって当該空気取入口１８から室内の空気が取り入れられる。そして、該底部材１４Ａ内に取り入れられた空気は、先ず当該底部材１４Ａの左右方向に延びる底部空間部分において、その長手方向に沿って配置されている上記加熱パイプ３の周囲を流される。そして、それによって上記加熱パイプ３からの放射熱を効果的に吸収して自からの温度を高め、上記気化フィルタ５内通過時の加湿効率を向上させるとともに、周囲の部品の冷却を図り、熱的な安定性、信頼性を確保する。
【００３５】
その後、同温度の上昇した空気の主たる量は上記気化フィルタ５方向に上昇し、同気化フィルタ５の空気吸込面５Ａ側から同気化フィルタ５内に吸い込まれて効率良く加湿される。そして、該加湿された空気は、上記気化フィルタ５の空気吹出面５Ｂ側から吹き出され、それに対向する上記加湿通路６右側の上記第１のファン７に対応して設けられている大径の空気吸込口６ａから上記加湿通路６内へ吸い込まれて行く。他方、その他の量の空気は、周囲の空間を介し、上記マイナスイオン通路８の上記第２のファン９に対応して設けられている小径の空気吸込口８ａから上記マイナスイオン通路８内に吸い込まれて行く。そして、この時にファンモータ１３の周囲を流れる空気流によって、上記ファンモータ１３自体が冷却される。
【００３６】
なお、上記気化フィルタ５の少なくとも前後および右側には、上記気化フィルタ５の空気吸込面５Ａに可及的有効に空気を供給するための空気供給通路１９が、上記水タンク１の左側壁１ａとその対向面側の気化フィルタ取付壁２０を利用して形成されている。
【００３７】
また、符号２１は、上記加湿通路６側の気化フィルタ取付壁２０に取り付けられていて、上記気化フィルタ５を、図示のような立設状態に保持する格子構造の筒状保持部材である。
【００３８】
この筒状保持部材２１は、例えば上部にツマミ部を有した取り外し可能な蓋部材２１ａを備え、これを取り外して、任意に気化フィルタ５を交換収納することができるようになっている。
【００３９】
なお、以上のように、前後方向に扁平で左右方向に長い受皿構造の底部材１４Ａの一端側側壁部に設けられる空気取入口１８を、上記加熱パイプ３の軸方向に対応させて設け、同軸方向に沿って空気を流し、上記加熱パイプ３からの放射熱によって加湿空気又はマイナスイオン付加空気の温度を少しでも上げるようにすると、上述のような加湿効率の向上だけでなく、最終的に室内に吹き出される空気自体の温度が上昇するので、空気の乾燥する冬季に使用されることが多い加湿器にとって、若干の暖房機能をも付加することができるという点でもメリットがある。
【００４０】
（実施の形態２）
次に図２は、本願発明の実施の形態２に係るマイナスイオン発生装置を備えた加湿器の構成を示している。
【００４１】
この実施の形態では、上記実施の形態１の構成におけるマイナスイオン通路８側の第２のファン９を、図示の如く、例えば遠心クラッチ２５を介してファンモータ１３の回転駆動軸１３ａに連結支持することによって、例えば加湿通路６側第１のファン７の回転数が所定回転数以上の強運転時にのみ、第２のファン９が回転してマイナスイオンが付加されるようにするとともに、上記空気吸込口８ａからの空気の吸い込みによって、上記強運転によって温度が上昇しやすいファンモータ１３が同運転時に有効に冷却されるようにしたことを特徴とするものである。その他の構成および作用は、全て上記実施の形態１の構成のものと同様である。
【００４２】
このような構成にすると、当該加湿器の強／弱運転切換スイッチを使用して、マイナスイオン付加加湿モードとそうでない通常加湿モードの選択が可能となる。
【００４３】
なお、この場合において、マイナスイオン通路８の下流側に設けられているマイナスイオン発生装置１０は、特に合流通路１１への合流開始端ａよりも所定寸法ｂだけ上流側に位置して、しかも加湿通路６側とを仕切る内側板１７の壁面に扁平な状態で取り付けられている。そして、同寸法ｂは、上記第２のファン９が停止されている通常加湿モード時にも、上記加湿通路６下流端側および合流通路１１側からの加湿空気の巻き込み等による侵入の影響を受けないように考慮した、より十分な距離のものとしている。また、内側板１７側に取り付けることによって、より加湿通路６側からの加湿空気のカルマン渦の影響を受けないようにしている。
【００４４】
（実施の形態３）
次に図３は、本願発明の実施の形態３に係るマイナスイオン発生装置を備えた加湿器の構成を示している。
【００４５】
この実施の形態では、上記実施の形態１の構成における加湿通路６側の第１のファン７を、図示の如く、例えば上記実施の形態２と同様の遠心クラッチ２５を介してファンモータ１３の回転駆動軸１３ａに連結支持することによって、ファンモータ１３の回転数が所定回転数以下の弱運転時にはマイナスイオン発生器として使用することができるようにする一方、同回転数が所定回転数以上となる強運転時にのみ、第１，第２のファン７，９が回転して、加湿空気に対してマイナスイオンが付加されるようにしたことを特徴とするものである。その他の構成および作用は、全て上記実施の形態１の構成のものと同様である。
【００４６】
このような構成にすると、例えば上記強／弱運転切換スイッチを使用して、当該加湿器の弱運転時には非加湿状態でのマイナスイオン付加専用モードとなる一方、強運転時には加湿モードでのマイナスイオン付加兼用運転が可能となる。
【００４７】
なお、この場合、もちろん上記回転数を例えば強・中・弱の３段に形成して、弱の時だけマイナスイオン専用モード、強・中の両方で加湿およびマイナスイオン兼用モードとするようにしてもよい。
【００４８】
（実施の形態４）
次に図４は、本願発明の実施の形態４に係るマイナスイオン発生装置を備えた加湿器の構成を示している。
【００４９】
この実施の形態では、上記実施の形態１の構成における加熱パイプ３、温水貯留槽４、気化フィルタ５部分の構成を、図示のようにヒータ２６ａを備えたヒータ加熱槽２６、沸とう蒸気供給ケーシング２７よりなる湯沸し構造に変更し、湯沸し加熱時の蒸発蒸気を上記同様の加湿空気として利用するようにしたことを特徴とするものである。
【００５０】
その他の構成および作用は、全て上記実施の形態１のものと同様である。
【００５１】
このような構成によると、上記実施の形態１のものに比べて、気化フィルタ５等が不要で、その交換も必要でないので、構造が簡単になり、コストも低下する。
【００５２】
（実施の形態５）
次に図５は、本願発明の実施の形態５に係るマイナスイオン発生装置を備えた加湿器の構成を示している。
【００５３】
この実施の形態では、上記実施の形態１〜３又は４の構成における第１，第２のファン７，９を、図示の如く、例えば中間にハブ２８を設けることによって一体の遠心ファン７９に成形し、同中間のハブ２８を介してファンモータ１３の回転駆動軸１３ａに取り付けて回転駆動されるようになっている。一方、加湿通路６とマイナスイオン通路８とは、相互に仕切板としての内側板１７を介して並設されているが、該内側板１７にはファン貫装孔１７ａが設けられており、同ファン貫装孔１７ａを介して上記両通路に共通な１つの遠心ファン７９が設けられている。
【００５４】
一方、同ハブ２８の外径は、上記ファン貫装孔１７ａの径よりも所定寸法大きくし、その外周を図示のような段違い面に変形させて、当該一体のファン７９を遊嵌した上記内側板（仕切板）１７のファン貫装孔１７ａの孔縁部１７ｂに非接触状態で重ね合わせたエアシール状態で、上記各実施の形態の場合同様に回転駆動されるようにしたことを特徴とするものである。その他の構成および作用は、全て上記実施の形態１〜３又は４の構成のものと同様である。
【００５５】
このような構成にすると、第１，第２の２組の別個独立のファン７，９を成形し、個別に組み込むのに比較して、ファン自体の製造が容易で、組み付け作業も楽になり、低コストになる。
【００５６】
（他の実施の形態）
なお、上記実施の形態２，３における遠心クラッチ２５は、要するに回転数又は必要に応じて、駆動力の伝達状態を切り換えられるものであれば良く、その他にも例えば流体クラッチ、電磁クラッチ等の各種の手段の採用が可能である。
【図面の簡単な説明】
【図１】本願発明の実施の形態１に係るマイナスイオン発生装置を備えた加湿器の構成を示す断面図である。
【図２】本願発明の実施の形態２に係るマイナスイオン発生装置を備えた加湿器の構成を示す断面図である。
【図３】本願発明の実施の形態３に係るマイナスイオン発生装置を備えた加湿器の構成を示す断面図である。
【図４】本願発明の実施の形態４に係るマイナスイオン発生装置を備えた加湿器の構成を示す断面図である。
【図５】本願発明の実施の形態５に係るマイナスイオン発生装置を備えた加湿器の構成を示す断面図である。
【符号の説明】
１は水タンク、３は加熱パイプ、４は温水貯留槽、５は気化フィルタ、６は加湿通路、７は第１のファン、８はマイナスイオン通路、９は第２のファン、１０はマイナスイオン発生装置、１１は合流通路、１２は合流空気吹出口、１３はファンモータ、１３ａは回転駆動軸、１４は本体ケーシング、１４Ａは底部材、１４Ｂはベースプレート、１４Ｃはカバー部材、２５は遠心クラッチ、２６はヒータ加熱槽、２７は蒸気供給ケーシングである。
【図１】
2004138354.tif 000003
【図２】
2004138354.tif 000004
【図３】
2004138354.tif 000005
【図４】
2004138354.tif 000006
【図５】
2004138354.tif 000007